(57)【特許請求の範囲】
【請求項１】
対象物を挟む一対の挟み部と、一対の前記挟み部と接続するハンドルとを備えるピンセットであって、
一方の前記挟み部である第１挟み部及び他方の前記挟み部である第２挟み部はそれぞれ、ループ部分を有する複数の線材で構成され、
前記第１挟み部の対象物を挟む部分である第１作用部は、前記線材の間に前記線材の太さ以上の隙間を有し且つ前記線材が挟み方向において層をなすように構成され、
前記第２挟み部の対象物を挟む部分である第２作用部は、前記線材の間に前記線材の太さ以上の隙間を有し且つ前記線材が挟み方向において層をなすように構成され、
前記第１作用部及び前記第２作用部は、相手方に最も近位の最近位線材同士が当接する状態から、前記最近位線材同士が当接し且つ相手方に２番目に近位の第２近位線材同士が当接する状態に切り替えることができるように構成される
ことを特徴とするピンセット。
【請求項２】
請求項１に記載のピンセットであって、
一対の前記挟み部は、互いに相手方に対して凹状となるように構成される
ことを特徴とするピンセット。
【請求項３】
対象物を挟む一対の挟み部と、一対の前記挟み部と接続するハンドルとを備えるピンセットであって、
一方の前記挟み部である第１挟み部及び他方の前記挟み部である第２挟み部は、ループ部分を有する複数の線材で構成され、
一対の前記挟み部の対象物を挟む部分である作用部は、一方が相手方に対して凸状となるように構成され、他方が相手方に対して凹状となるように構成される
ことを特徴とするピンセット。
【請求項４】
対象物を挟む一対の挟み部と、一対の前記挟み部と接続するハンドルとを備えるピンセットであって、
一方の前記挟み部である第１挟み部及び他方の前記挟み部である第２挟み部は、ループ部分を有する複数の線材で構成され、
一対の前記挟み部の対象物を挟む部分である作用部は、互いに相手方に対して凸状となるように構成される
ことを特徴とするピンセット。
【請求項５】
対象物を挟む一対の挟み部と、一対の前記挟み部と接続するハンドルとを備えるピンセットであって、
少なくとも、一方の前記挟み部である第１挟み部は、ループ部分を有する線材で構成され、
前記第１挟み部は、前記線材同士を固着するねじれ防止部であって、前記線材のねじれを防止するねじれ防止部を含む
ことを特徴とするピンセット。
【請求項６】
請求項１〜５のいずれか一項に記載のピンセットであって、
前記ハンドルは、一対の前記挟み部とそれぞれ接続し使用者が押す部分である一対の押し部と、一対の前記押し部と接続するヒンジ部とを含む
ことを特徴とするピンセット。
【請求項７】
請求項６に記載のピンセットであって、
前記ヒンジ部は、複数の線材で構成される
ことを特徴とするピンセット。
【請求項８】
請求項６または７に記載のピンセットであって、
前記挟み部と前記ヒンジ部は、共通の線材
から構成される
ことを特徴とするピンセット。
【請求項９】
請求項１〜８のいずれか一項に記載のピンセットであって、
前記ピンセット全体が、線材で構成される
ことを特徴とするピンセット。
【請求項１０】
対象物を挟む一対の挟み部と、一対の前記挟み部と接続するハンドルとを備えるピンセットであって、
少なくとも、一方の前記挟み部である第１挟み部は、ループ部分を有する線材で構成され、
互いに接近したときに、一方の前記挟み部と他方の前記挟み部とが略直角に交差し、他方の前記挟み部の対象物を挟む部分である作用部が、一方の前記挟み部の対象物を挟む部分である作用部の内側に進入する
ことを特徴とするピンセット。
【請求項１１】
請求項１０に記載のピンセットであって、
他方の前記挟み部の対象物を挟む部分である作用部が、一方の前記挟み部の対象物を挟む部分である作用部の内側に進入し、咬合状態になる
ことを特徴とするピンセット。
【発明の詳細な説明】
【技術分野】
【０００１】
本発明は、ピンセットに関する。
【背景技術】
【０００２】
ピンセットは対象物を挟む目的で使われ、対象物を挟む一対の挟み部と、この一対の挟み部と接続し、使用者が操作する部分であるハンドルとを有する。
【先行技術文献】
【特許文献】
【０００３】
【特許文献１】特開２００４−４２１４７号公報
【発明の概要】
【発明が解決しようとする課題】
【０００４】
従来のピンセットは、挟み部が硬い一定の形状を有しているため、柔らかい対象物を損なわずに挟みあげるのが困難である。また、分離して形状が一定しないものを挟み上げるのが困難である。分離した形状の対象物は挟む力を浸透させるのが困難であり、逆に、従来のピンセットで強く挟むと対象物の一部にダメージを生じる可能性がある。
【０００５】
そこで、本発明の目的は、上記の従来技術の問題に鑑み、対象物を損なわずに挟みあげることができるピンセットを提供することにある。
【課題を解決するための手段】
【０００６】
上述した少なくとも１つの課題を解決するために、本発明に係るピンセットは、対象物を挟む一対の挟み部と、一対の前記挟み部と接続するハンドルとを備えるピンセットであって、少なくとも、一方の前記挟み部である第１挟み部は、ループ部分を有する線材で構成される。
【０００７】
また、前記ハンドルを押すと、一対の前記挟み部の対象物を挟む部分である作用部が接触し、撓んでもよい。
【０００８】
また、前記第１挟み部は、複数の前記線材で構成され、前記第１挟み部の対象物を挟む部分である作用部において、複数の前記線材の間に隙間が空いていてもよい。
【０００９】
また、前記作用部において、複数の前記線材の間に、対象物を挟む挟み方向に隙間が空いており、前記作用部は、他方の前記挟み部の対象物を挟む部分である作用部に最も近位の最近位線材が他方の前記作用部と接触し、続いて他方の前記作用部に２番目に近位の第２近位線材が他方の前記作用部と接触するように構成されてもよい。
【００１０】
また、一対の前記挟み部は、互いに相手方に対して凹状となるように構成されてもよい。
【００１１】
また、一対の前記挟み部は、一方が相手方に対して凸状となるように構成され、他方が相手方に対して凹状となるように構成されてもよい。
【００１２】
また、一対の前記挟み部は、互いに相手方に対して凸状となるように構成されてもよい。
【００１３】
また、前記第１挟み部は、前記線材のねじれを防止するねじれ防止部を含んでもよい。
【００１４】
また、前記ハンドルは、一対の前記挟み部とそれぞれ接続し使用者が押す部分である一対の押し部と、一対の前記押し部と接続するヒンジ部とを含んでもよい。
【００１５】
また、前記ヒンジ部は、複数の線材で構成されてもよい。
【００１６】
また、前記挟み部と前記ヒンジ部は、共通の線材から構成されてもよい。
【００１７】
また、前記ピンセット全体が、線材で構成されてもよい。
【００１８】
また、他方の前記挟み部の対象物を挟む部分である作用部が、一方の前記挟み部の対象物を挟む部分である作用部の内側に進入してもよい。
【００１９】
また、他方の前記挟み部の対象物を挟む部分である作用部が、一方の前記挟み部の対象物を挟む部分である作用部の内側に進入し、咬合状態になってもよい。
【００２０】
また、前記ハンドルを開くと、一対の前記挟み部の対象物を挟む部分である作用部が離開してもよい。
【００２１】
また、前記ハンドルは、一端を押すと、一対の前記挟み部の対象物を挟む部分である作用部が接近し、他端を押すと、前記作用部が離開してもよい。
【発明の効果】
【００２２】
本発明によれば、対象物を損なわずに挟みあげることができるピンセットを提供することができる。
【図面の簡単な説明】
【００２３】
【図１】本発明の一実施形態によるピンセットを示す図で、（ａ）作用部の初期状態を示す斜視図、（ｂ）作用部の接触状態を示す斜視図、（ｃ）は（ａ）の変形例である。
【図２】本発明の一実施形態によるピンセットを示す図で、（ａ）斜視図、（ｂ）球状の対象物を挟む動作を示す図、（ｃ）細長い対象物を挟む動作を示す図である
【図３】本発明の一実施形態によるピンセットを示す図で、（ａ）正面図、（ｂ）Ａ−Ａ線断面図、（ｃ）Ｂ−Ｂ線断面図である。
【図４】本発明の一実施形態によるピンセットを示す斜視図である。
【図５】本発明の一実施形態によるピンセットを示す斜視図である。
【図６】本発明の一実施形態によるピンセットを示す斜視図である。
【図７】本発明の一実施形態によるピンセットを示す斜視図である。
【図８】本発明の一実施形態によるピンセットを示す斜視図である。
【図９】本発明の一実施形態によるピンセットの、（ａ）分解斜視図、（ｂ）組立て斜視図である。
【図１０】本発明の一実施形態によるピンセットの、（ａ）挟み部材の斜視図、（ｂ）全体の組立て斜視図である。
【図１１】本発明の一実施形態によるピンセットの、（ａ）挟み部材の斜視図、（ｂ）全体の組立て斜視図である。
【図１２】本発明の一実施形態によるピンセットの分解斜視図で、（ａ）その柄部の斜視図、（ｂ）その挟み部材と弾性ヒンジ部の斜視図である。
【図１３】本発明の一実施形態によるピンセット及びその使用状態を示した説明図で、（ａ）作用部接近方向動作を示す図、（ｂ）作用部離開方向動作を示す図である。
【図１４】本発明の一実施形態によるピンセットの、（ａ）一方の挟み部材の斜視図、（ｂ）他方の挟み部材の斜視図、（ｃ）全体の組立て斜視図である。
【図１５】図１４の実施形態によるピンセットの使用状態を概略示した斜視図である。
【図１６】本発明の一実施形態によるピンセットの、（ａ）平面図、（ｂ）側面図である。
【図１７】本発明の一実施形態によるピンセットの、（ａ）平面図、（ｂ）側面図、（ｃ）使用状態を示した平面図、（ｄ）使用状態を示した平面図である。
【発明を実施するための形態】
【００２４】
以下に実施形態の例を図面を用いて説明する。本願に係るピンセットは、対象物を挟む一対の挟み部と、一対の挟み部と接続するハンドルとを備える。一対の挟み部の少なくとも一方は、ループ部分を有する線材で構成される。以下では、対象物を挟む方向を挟み方向とし、これと略直交し、前方に挟み部、後方にハンドルが配置される方向を前後方向として説明する。特に限定しないが、好ましくは、本願のピンセットは前後方向に長い。
【００２５】
図１は、本発明の一実施形態によるピンセットを示す図で、図１（ａ）は作用部の初期状態を示す斜視図、図１（ｂ）は作用部の接触状態を示す斜視図、図１（ｃ）は図１（ａ）の変形例である。
【００２６】
図示のように、ピンセット１ｃは、一対の挟み部２ｃ、３ｃと、挟み部２ｃ、３ｃと接続するハンドル１０ｃとを含む。ハンドル１０ｃは、一対の押し部５ｃ、６ｃとヒンジ部４ｃとを含む。ここでは、一対の挟み部２ｃ、３ｃの両方がループ部分を有する線材で構成される。
【００２７】
挟み部２ｃ、３ｃは弾性的な線材からなる。両挟み部は略対称的であり、以下では挟み部２ｃを例に説明する。挟み部２ｃを構成する線材は、一端から出発して、中央で広く湾曲したループを描いて折り返し、他端が一端と並ぶ位置に戻るような形状である。言い換えれば、挟み部２ｃを構成する線材は、中央が略ループ状のループ部分で、両端が略直線状の直線部分である。挟み部２ｃは、対象物を挟む部分である作用部８ｃがこのループ部分で構成され、ハンドル１０ｃに向かって延伸する部分である延伸部９ｃがこの両端部分で構成される。
【００２８】
作用部８ｃは、全体が略同じ面上にあるように構成されてもよいし、図示のように、折り曲げられて、前段部分と後段部分が異なる面上にあるように構成されてもよい。作用部８ｃは、例えば、図示のように、前段部分が他方の作用部に向かって屈曲する形状である。また、作用部８ｃは、延伸部９ｃと略同じ面上にあるように構成されてもよいし、異なる面上にあるように構成されてもよいし、一部のみが異なる面上にあるように構成されてもよい。
【００２９】
作用部８ｃは、ハンドル１０ｃを押す（両押し部が接近するように押す）と、他方の作用部１５ｃと接触し、撓む。作用部８ｃは全体が他方の作用部１５ｃと接触してもよいが、図示のように、一部のみが他方の作用部１５ｃと接触すればよい。
【００３０】
ここでは、作用部８ｃのループ部分は、末端が閉じていないまま延伸部９ｃに移行する形状で、一部が欠けたループ形状である。ループ部分は、略円形、楕円形でもよいし、略三角や四角などの多角形でもよい。対象物に応じた適宜な形状とすることができ、図示は前方が略三角形で後方が狭まった形状の例である。
【００３１】
弾性的な線材は、好適には断面が丸い金属線材、例えばステンレス鋼や、ピアノ線などのワイヤーである。ただし、線材は、これに限らず、断面４角形、６角形等の断面多角形の線材、板材を用いてもよい。
例えば、図１（ｃ）は、一方の挟み部２ｃを板状片で構成した例を示している。したがって、この例では、挟み部２ｃの作用部８ｃは、板状に構成される。好ましくは、作用部８ｃは、輪郭形状が他方の作用部１５ｃと同形状である。
また、表面をナイロンやシリコン、テフロンで被覆したり、メッキを施したりしたものでもよい。さらには、ナイロンやプラスチック樹脂などの材料で形作られたものでもよい。
また、その際に、根本部分で太く、先端に向かって太さを徐々に細くしてもよい。
以下の説明で「ワイヤー」や「線材」として言及したとしても、ワイヤーに限定する意味ではなく、任意の公知の好適な弾性線材であり得る。
【００３２】
線材の太さは、例えば、０．３〜５．０ｍｍ、好ましくは、０．４〜４．０ｍｍであり、より好ましくは０．４〜３．２ｍｍである。
【００３３】
また、線材は、図示は均一な太さの線材の例であるが、これに限らず、部分的に異なる太さを有してもよい。また、ループ部分の一部ないし全部を、断面を扁平な形状として、薄い対象物を挟みやすくしてもよい。
【００３４】
ハンドル１０ｃは、一対の挟み部２ｃ、３ｃと接続する一対の押し部５ｃ、６ｃとヒンジ部４ｃとを含む。ヒンジ部４ｃは、特に限定しないが、例えば、図示のように、略Ｙ字形状で、両端部が弾発的に変形する。
【００３５】
ヒンジ部４ｃは、両端部が押し部５ｃ、６ｃと接続する。このヒンジ部４ｃによって、一対の押し部同士を接近するように押すと、一対の挟み部２ｃ、３ｃ、より具体的には一対の作用部８ｃ、１５ｃが互いに接近し接触する。作用部同士は、押し部同士が接触（当接）する前に、接触する。一対の押し部同士を押さなくなる（離す）と、作用部８ｃ、１５ｃが離開する。
【００３６】
押し部５ｃ、６ｃには、この押し作業を容易にするために、凹面または凸面である指かけ面を設けてもよいし、凸凹模様を設けて滑りにくくしてもよい。例えば、図示のように、正面視略楕円形の凹面を設け、さらにその凹面に線状の凹模様または凸模様を施してもよい。また、押し部５ｃ、６ｃは、特に限定しないが、好ましくは、ヒンジ部４ｃの両端部より厚みが厚く形成される。
【００３７】
ハンドル１０ｃは、図示のように、一対の押し部とヒンジ部が一体に形成されてもよいし、後述の例のように、別体に形成され、組み立てられてもよい。
【００３８】
ハンドル１０ｃは、例えば、プラスチック樹脂で成形して形成される。一対の挟み部は、ハンドルの成形の際にインサート成形でこれに接続されてもよいし、スペーサーなどの部材を介してインサート成形でこれに接続されてもよい。また、衛生的な器具、例えば手術用のピンセットの場合は、ハンドルをステンレスで形成し、挟み部を溶着、例えばろう付けや溶接でこれに接続（固着）させてもよい。
【００３９】
ピンセット１ｃは、押し部５ｃ、６ｃを押したり離したりすることで、挟み部２ｃの作用部８ｃと挟み部３ｃの作用部１５ｃが接近したり離開したりし、対象物を挟んだり離したりすることができる。このとき、挟み部２ｃ、３ｃが弾性的な線材からなっているため、押し部を過度に押しても、作用部にかかる力が過度にならず、対象物を潰してしまうことを抑制できる。
【００４０】
ピンセット１ｃは、耳垢を挟み出すピンセット、鼻垢（糞）を挟み出すピンセット、対象物（例えば、からし、漬物など）を挟むピンセット、瘡蓋を処理するピンセット、手術用のピンセット、昆虫ピンセット、虫取りピンセット等として適用できる。また、動物に付着のダニやごみなどを挟み出すピンセットとして適用してもよい。
【００４１】
ピンセットは、傷つき易い物を掴むために利用されることから、表面にバリなどが無く、滑らかであるのが好ましい。従来のピンセットでは、表面を滑らかに仕上げるために、やすりがけなど、面倒な工程が必要であった。本実施形態のピンセットであれば、断面が丸い線材を用いることで、作用部の表面は滑らかとなるため、やすりがけなどの工程が不要となる。
【００４２】
図２は、他の実施形態によるピンセットを示す図で、図２（ａ）は斜視図、図２（ｂ）は球状の対象物を挟む動作を示す図、図２（ｃ）は細い対象物を挟む動作を示す図である。以下では、主に図１のピンセットと異なる点を説明する。
【００４３】
図示のように、ここでは、挟み部２ｃ、３ｃは、複数の線材から構成される。図示の例では、それぞれ３本の線材から構成されるが、これに限らず、後述のように４本の線材など複数の線材で構成されればよい。好ましくは、２本〜８本の線材で構成される。また、一対の挟み部２ｃ、３ｃは、図示のように同数の線材から構成されてよいし、異なる本数の線材から構成されてもよい。両挟み部は同形状であってよいし、異なる形状であってもよい。
【００４４】
図示は一対の挟み部が対称的に形成される例であり、以下では挟み部２ｃを例に説明する。挟み部２ｃは、３本の弾性的な線材からなる。３本の線材は、それぞれ前述のループ部分と直線部分を有し、所定の間隔を置いて配置される。作用部８ｃは３本の線材のループ部分を含んで構成され、延伸部９ｃは３本の線材の直線部分を含んで構成される。
また、延伸部９ｃは適宜長さを長くすることで作用部の押圧を少なくすることが出来る。
ここでは図示しないが、延伸部９ｃをハンドルから出し入れすることが出来る構造とすることで、押圧を変化させることが出来る。
【００４５】
具体的には、挟み部において、３本の線材は、ループ部分が挟み方向において層をなすように配置される。以下では、他方の挟み部に最も近位の線材を最近位線材といい、２番目に近位の線材を第２近位線材といい、他方の挟み部に最も遠位の線材は最遠位線材という。
【００４６】
作用部８ｃは、ここでは、最近位線材のループ部分８１ｃのループが最も大きく、第２近位線材のループ部分８２ｃがこれより小さく、最遠位線材のループ部分８３ｃが最も小さい。これらの線材は、挟み方向では層をなすように配置され、挟み方向に直交する方向では同心状となるように配置される。作用部８ｃは、複数の線材の間に挟み方向に隙間が空いている。すなわち、線材同士の相対する部分の間に０ｍｍより大きい間隔がある。この隙間は、好ましくは、線材の太さ（上下方向の厚さ、断面円形の場合は直径）以上である。
【００４７】
同様に、作用部１５ｃは、最近位線材のループ部分１５１ｃのループが最も大きく、第２近位線材のループ部分１５２ｃがこれより小さく、最遠位線材のループ部分１５３ｃが最も小さい。これらの線材は、挟み方向では層をなすように配置され、挟み方向に直交する方向では同心状となるように配置される。作用部１５ｃは、複数の線材の間に挟み方向に隙間が空いている。すなわち、線材同士の相対する部分の間に０ｍｍより大きい間隔がある。この隙間は、好ましくは、線材の太さ（上下方向の厚さ、断面円形の場合は直径）以上である。
【００４８】
このように構成されて、作用部８ｃ、１５ｃは、初期状態において、挟み方向に凹んだ形状をなし、凹みの深さが深くなるにつれて広さが徐々に狭まる内部空間を備えるようになる。ここでは、作用部８ｃ、１５ｃは、互いに相手方に対して凹状である。
【００４９】
なお、図示の線材同士の挟み方向の間隔は、略均一に設けられているが、これに限らない。一部において異なってもよいし、徐々に大きくする、徐々に小さくするなどそれぞれ異なってもよい。
【００５０】
延伸部９ｃは、ループ部分が最も外側（外縁側）に位置する線材の直線部分が最も外側に配置され、ループ部分が最も内側に位置する線材の直線部分が最も内側に配置される。ここでは、図示すように、ループ部分８１ｃに続く直線部分が最も外側に、ループ部分８２ｃに続く直線部分がその次に、ループ部分８３ｃに続く直線部分が最も内側に配置される。なお、それぞれの直線部分は、挟み方向において略同位置にあってもよいし、異なる位置にあってもよい。
【００５１】
挟み部を構成する各線材は、外側になるに従って撓みやすい線材からなるようにしてもよい。これにより、内側でしっかり保持すると共に外側を撓みやすくすることで、対象物の周りの部分を壊しにくくすることが出来る。または、内側になるに従って撓みやすい線材からなるようにしてもよい。これは、内側に位置する線材が、長さが短くなるため、剛性が高くなる傾向にあるためである。そこで、内側になるに従って線材を撓みやすい線材によって構成することにより、中央部分が凹状に撓みやすい作用部が得られる。中央部分が幅広い形状の対象物に対して、ソフトに包み込むように把持することができるようになり、撓みやすくする。
【００５２】
図２（ｂ）に示すように、対象物Ｏが球状体などの塊である場合、作用部はこれを包み込むように外形を損なうことなく挟み、取り上げることができる。例えば、手術の際に切除された腫瘍、臓器などを取り上げるのに好適である。
【００５３】
作用部の内部空間の大きさや形状は、対象物に応じて設定でき、これに合わせて各線材のループ部分の大きさや形状、線材同士の間の間隔（隙間）を設定できる。
【００５４】
図２（ｃ）に示すように、対象物Ｏが細長い形状（紐状、筒状、麺状など）である場合、最近位線材同士で広く挟むことで確実に挟み上げることができる。また、仮に他の部分を間違って挟む、触れるなどしても傷つけることがない。例えば、血管や神経、手術の際の剥離片を挟み上げるのに好適である。
また、例えば神経や血管を避ける際に摘まんでも傷つけにくく、確実に素早く摘まむことが出来る。
さらに神経、血管や他の臓器などを避けながら剥離片を摘まむ際に、凸側で避けることで、神経、血管や他の臓器などを傷つけにくい。
【００５５】
図３は他の実施形態によるピンセットを示す図で、図３（ａ）は正面図、図３（ｂ）は図３（ａ）のＡ−Ａ線断面図、図３（ｃ）は図３（ａ）のＢ−Ｂ線断面図である。ここでは、挟み部が４本の線材から構成される例を図示して、さらに詳細に説明する。
【００５６】
ピンセット１ｃは、一対の押し部間の距離を調整することで、対象物に当接するループ部分の数を増減できる。対象物に当接するループ部分の数が増減すると、対象物との接触面積が増減し、対象物に加わる力も増減するため、対象物に適した接触面積と力で対象物を挟むことができ、軟らかい対象物でも、外形を損なわず、傷つけることなく挟むことができる。
【００５７】
ピンセット１ｃの作用部８ｃは、ループ部分８１ｃ、８２ｃ、８３ｃ、８４ｃを含んで構成され、作用部１５ｃは、ループ部分１５１ｃ、１５２ｃ、１５３ｃ、１５４ｃを含んで構成される。
【００５８】
ピンセット１ｃは、押し部５ｃ、６ｃに力が加わる（例えば、使用者が指で押す）と、押し部５ｃ、６ｃ同士が接近し、これによって、作用部８ｃ、１５ｃ同士が接近し、その後、最近位線材のループ部分８１ｃ、１５１ｃ同士が接触（当接）する。押し部５ｃ、６ｃに加わる力がさらに大きくなると、さらに第２近位線材のループ部分８２ｃ、１５２ｃ同士が接触する。言い換えれば、ピンセット１ｃにおける作用部は、最近位線材が他方の作用部と接触し、続いて第２近位線材が他方の作用部と接触するように構成されている。
【００５９】
図３（ａ）に示すように、ピンセット１ｃで対象物Ｏを挟む場合、最近位線材のループ部分８１ｃ、１５１ｃの一部が対象物Ｏと交差してこれを押える。また、第２近位線材のループ部分８２ｃ、１５２ｃの一部も対象物Ｏと交差してこれを押える。以下では、各線材のループ部分におけるこの対象物を押えている部分を「押え部」とする。
【００６０】
図３（ｂ）に示すように、最近位線材のループ部分８１ｃ、１５１ｃの押え部３００同士が両側で（上下で）対象物Ｏを挟み、第２近位線材のループ部分８２ｃ、１５２ｃの押え部３００同士が両側で対象物Ｏを挟んでいる。最近位線材のループ部分８１ｃ、１５１ｃ同士が外側ループ、第２近位線材のループ部分同士が内側ループを構成して、１本の対象物Ｏに対して計４箇所を８つの押え部３００で、両側で（上下で）挟み、押えている。これによって、ピンセット１ｃは、対象物を確実に挟み押えることが出来る。
【００６１】
図３（ｃ）に示すように、ピンセット１ｃは、押え部３００の断面が円形であり、対象物Ｏの周面を円弧面で押えているため、対象物を傷つけにくくなっている。また、対象物Ｏにおいて押え部３００で押された部分は、中央に凹み部Ｏ１が、両サイドに段差部Ｏ２がそれぞれ形成されるため、押さえ部３００を用いて両側（上下）で挟んだ場合、滑り落ちにくくなっている。なお、ここでは、説明の便宜上、２対の線材のうちの一対の線材のみを図示している。
【００６２】
このように、ピンセット１ｃは、従来のピンセットに比べて、線材の円形断面が均一な力で対象物の断面を押さえることができ、対象物を傷つけることなく優しくグリップすることができる。また、対象物の複数の箇所を両側で対応して挟むことができ、対象物を確実に挟み上げることができる。
【００６３】
また、ピンセット１ｃは、作用部の先端が曲線状であるため、他の部分と接触しても傷つけにくい。
【００６４】
なお、以上では、ピンセット１ｃが、いずれのループ部分同士も接触しない状態から、最近位線材のループ部分同士が接触する状態に切り替わり、さらに、第２近位線材のループ部分同士が接触する状態に切り替わることを説明したが、さらに、第３近位線材のループ部分同士が接触する状態に切り替わるように構成されてもよい。すなわち、一対の挟み部における複数の線材のループ部分のうち、最遠位線材のループ部分同士以外が、順次当接するように構成されてもよい。
【００６５】
ピンセット１ｃは、一例として、最近位線材のループ部分が、直線部分から他方の挟み部方向に向かって屈曲した後、反対側に向かって屈曲する略Ｚ形状を成してもよい。最近位線材を正面視略Ｚ形状に形成することで、ループ部分が撓みやすく、可撓性が高まる。言い換えれば、対象物に過度に作用しないように対象物から逃げる方向に撓みやすくなる。
【００６６】
第２近位線材のループ部分は直線部分からわずかに屈曲するか屈曲せずに直線状に延びてもよい。従って、最近位線材のループ部分と第２近位線材のループ部分との間に、所定の間隔が形成される。第２近位線材をこのように形成することで、最近位線材だけでは対象物を挟み上げられない場合、最近位線材のループ部分が第２近位線材方向に撓み、間隔が縮まって、両者が共同で対象物に作用し得るようになる。
【００６７】
最遠位線材のループ部分は、直線部分から他方の挟み部方向と反対方向に向かって屈曲した後、他方の挟み部方向に向かって屈曲する略Ｚ形状を成してもよい。従って、第３近位線材のループ部分と最遠位線材のループ部分の間には、所定の間隔が形成される。また、最遠位線材は、内部空間における底をなす部分として、対象物を支えることができる。
【００６８】
ピンセット１ｃは、図示のように、ハンドル１０ｃの押し部５ｃ、６ｃと、ヒンジ部４ｃがそれぞれ別体に形成されてもよい。ヒンジ部４ｃは、例えば、略Ｕ字形状であり、Ｕ字形状の両端部が弾発的に変形する。押し部５ｃ、６ｃは、ヒンジ部４ｃの両端部にそれぞれ接続される。
【００６９】
図４は他の実施形態によるピンセットを示す図斜視図である。各示のピンセットは、挟み部が上記と異なる。
【００７０】
図示のピンセットの一対の挟み部は、一方の挟み部２ｃが相手方である他方の挟み部１５ｃに対して凸状となるように構成されているのに対して、他方の挟み部１５ｃは相手方である一方の挟み部２ｃに対して凹状となるように構成されている。
【００７１】
挟み部１５ｃは前述と同様であり、ここでは、挟み部２ｃを説明する。挟み部２ｃは、最近位線材のループ部分８１ｃが最も小さく、最遠位線材のループ部分８３ｃが最も大きくなる順になっている。そのため、押し部を押すと、一方の挟み部２ｃが、他方の挟み部１５ｃに対して凹状となり、他方の挟み部２ｃの内部に進入し、その内側空間に入り込めるようになる。
【００７２】
このようなピンセット１ｃは、一方の作用部が他方の作用部の内側空間に入り込んで、他方の作用部の内側空間を上方から狭めて、両者の間に断面略円弧状の所定幅の縮小空間が形成される。そのため、薄いシート状の対象物を挟む場合などに好適である。
例えば、手術において剥離片を摘まんで引き、剥離する（引き抜く、引いてハサミ等で切る）際に確実な摘み引くことができる。
【００７３】
図５は他の実施形態によるピンセットを示す図斜視図である。各示のピンセットは、挟み部が上記と異なる。
【００７４】
図示のピンセットの一対の挟み部は、一方の挟み部２ｃと他方の挟み部１５ｃとが互いに相手方に対して凸状となるように構成されている。両者とも、最近位線材のループ部分が最も小さく、最遠位線材のループ部分が最も大きくなる順になっている。そのため、押し部を押すと、ループ部分が最も小さい最近位線材のループ部分８１ｃ、１５１ｃ同士が当接し、さらに縮めると、２番目に小さい第２近位線材のループ部分８２ｃ、１５２ｃ同士が当接する。
【００７５】
このようなピンセット１ｃは、薄いシート状の対象物に好適である。また、中央に芯が有り、周りが柔らかく傷つきやすい対象物に好適である。中央の芯部分をしっかり挟み、周りの部分はソフトにタッチして、対象物を傷つけずに挟むことができるからである。
【００７６】
図６は他の実施形態によるピンセットを示す図斜視図である。各示のピンセットは、挟み部が上記と異なる。
【００７７】
図示のピンセットの一対の挟み部は、最近位線材のループ部分のみが上記図５に示す例と異なる。より具体的には、上記挟み部は、各線材のループ部分が、大きさが異なるものの、形状が同じまたは相似であるのに対して、本例では、最近位線材のループ部分が他と異なり、最も細く、最も長い形状をしている。
【００７８】
このようなピンセット１ｃは、最近位線材のループ部分同士で挟み、さらに、他の線材で押し付けることで、確実に挟み出すことができる。
【００７９】
図７は他の実施形態によるピンセットを示す斜視図である。図示のピンセットは、一対の挟み部が図１に示す例と同様で、ハンドルが図１に示すものと異なる。ハンドル１０ｃは、ここでは、略Ｘ字形状に構成され、柄部５ｃ、６ｃ同士が交差した状態で回転可能になっている。
【００８０】
より具体的には、柄部５ｃ、６ｃが、それぞれ長尺状の部材で構成され、長尺状の部材の両端の間の部分に貫通孔が設けられている。これらの貫通孔と、これらの貫通孔に挿入されるヒンジ軸を含んでヒンジ部４ｃが構成する。このヒンジ部４ｃによって、両柄部５ｃ、６ｃが互いに交差した状態で回転可能に接続され、両柄部５ｃ、６ｃを閉じる（押す）と、両作用部８ｃ、１５ｃが接近し、接触し、両柄部５ｃ、６ｃを開くと、両作用部８ｃ、１５ｃが離開する。
【００８１】
このようなピンセットは、両作用部をより広く離開させることができ、挟んだ対象物を解放するのに好適である。また、厚みが厚い対象物を挟む場合などでも好適である。
【００８２】
なお、ハンドル１０ｃに、コイルばねや板ばね等の開きばねを設けて、その弾発力を利用して、ハンドルが開くようにしてもよい。
【００８３】
図８は他の実施形態によるピンセットを示す斜視図である。図示のピンセットは、一対の挟み部が図２に示す例と同様で、ハンドルが図２に示すものと異なる。
【００８４】
図示のハンドル１０ｃは、図７に示すハンドルと同様に略Ｘ字形状に構成されている。ここでは、さらに、一方の柄部５ｃにおける貫通孔４１ｃが平面視線状に形成され、ヒンジ軸４２ｃの一端部である頂部４２ｃが平面視線状に形成され、頂部４２ｃが貫通孔４１ｃに線形状が交差した状態で係止される。また、ヒンジ軸の頂部４２ｃと貫通孔４１とが線形状が一致した位置になると、一方の柄部５ｃ及びこれと接続する挟み部２ｃが、他方の柄部６ｃ及びこれと接続する挟み部３ｃから取り外せる。
【００８５】
このようなピンセットは、さらに、一方の挟み部２ｃ及び柄部５ｃが、他方の挟み部１５ｃ及び柄部６ｃから簡単に取り外せるので、ピンセットが頻繁に洗浄や消毒される場合などに好適である。
【００８６】
ハンドル１０ｃは、図示のように、さらに、細かな作業がしやすいように、柄部５ｃ、６ｃの一方または双方に指を入れる孔部を設けてもよい。
【００８７】
図９は、他の実施形態によるピンセットの、（ａ）分解斜視図、（ｂ）組立て斜視図である。図示のピンセット１は、一対の挟み部材（挟み部）２，３と、ヒンジ部４と、一対の柄部５，６とを有している。挟み部材２，３は、たとえばワイヤーなどの弾性的な線材からなる。
【００８８】
本実施形態では、挟み部材２，３はそれぞれ一続きの同一の線材からなる。挟み部材２，３はそれぞれ、その弾性的な線材が１つの閉曲線をなし、かつ、全体として細長い形状になるように折り曲げられている。弾性的な線材は好適には断面が丸い金属線材であるワイヤーである。ただし、線材は、これに限らず、断面４角形、６角形等の断面多角形の線材、板材を用いても良い。また、表面をナイロンやシリコン、テフロンで被覆したり、メッキを施したものでもよい。以下の説明で「ワイヤー」や「線材」として言及したとしても、ワイヤーに限定する意味ではなく、任意の公知の好適な弾性線材であり得る。
【００８９】
線材のワイヤーの太さは、例えば、０．３〜５．０ｍｍ、好ましくは、０．４〜４．０ｍｍであり、より好ましくは０．４〜３．２ｍｍである。また、ピンセット１の全長は、５ｃｍ〜３５ｃｍ、好ましくは６ｃｍ〜２６ｃｍである。また、線材は挟み部材２，３の作用部８，１５を平らに潰して薄くし、薄いものを拾いやすくすることができる。また、凸凹模様を設けて摘まむ部分が滑りにくくすることができる。さらに、汚れが落ちやすいようにコーティング処理などを施しても良い。
【００９０】
挟み部材２の上述した細長い形状は、使用状態で使用者に近い一方の端部に位置する基端部７と、対向する他端部に位置する作用部８と、基端部７と作用部８の間に位置するアーム部９とを有している。
【００９１】
挟み部材２は一続きの同一のワイヤーからなる。該ワイヤーは、基端部７の一端１０（開始端１０）から始まり、挟み部材２の長手方向に略直角の方向（横断方向）に基端部７の幅よりわずかに小さい距離延在し、基端部７の図９（ａ）において上方の角部で長手方向に曲がり、基端部７とアーム部９を経て作用部８まで延び、作用部８の先端部で折り返した後、略三角形の作用部８を形成し、アーム部９の先端部で図９（ａ）において上辺のワイヤーに接近した後、わずかに拡開しながらアーム部９を経て基端部７まで戻り、基端部７の図９（ａ）において下方の角部で横断方向に曲がり、基端部７の幅よりわずかに短い距離延びて、終端１１に達する。
【００９２】
基端部７の開始端１０から図９（ａ）において上方に延びる部分と、終端１１から図９（ａ）において下方に延びる部分は、線材（ワイヤー）同士の重なり部１２を形成している。すなわち、重なり部１２は、作用部方向に対してほぼ垂直である。重なり部１２には、線材同士を固着するねじれ防止部１３が設けられている。ねじれ防止部１３は、具体的には点溶接などがあるが、線材同士を固着するものであればよく、点溶接に限られない。例えば、溶着、接着、リベット、クランプなどでもよい。また、ねじれ防止部１３は、ねじれを防止する構造であればよく、点溶接やリベットやクランプなどの点固着ならば２つ以上の点固着、一続きの固着ならば一定の長さを有する固着部でもよい。
【００９３】
ピンセット１は、アーム部９，１６が、作用部８，１５よりも長く、例えば、作用部８，１５の長さの２倍以上で、好ましくは、３倍〜６倍である。
【００９４】
例えば、ピンセットの作用部で対象物を挟む際に、弾性ワイヤーを作用部に使用した場合、作用部に力を掛けると、作用部のループ部を中心に対象物の形に添ってワイヤーにねじれが生じる、ねじれが発生すると、作用部で把持する力が片寄り対象物を落とすことになる。そこで、作用部のワイヤーを作用部とワイヤーの根本側で閉じた例えば略四角形を形成する様に構成することでねじれを押えることが出来る。さらに、根本側を重ねる様に接続することで、ワイヤーの固定が一層高まりねじれをより少なくすることが出来る。これらの作用を活用している。
【００９５】
ねじれ防止部１３を有していることにより、ワイヤーは末端同士が固着され、自由端である場合に比して、基端部７の剛性が向上し、それによって挟み部材２の捩れが減少する。
【００９６】
ねじれ防止部１３を有している部分が長ければ長いほど、その部分の剛性が向上する。例えば、重なり部１２が長い部分に渡って存在し、ねじれ防止部１３が長い長さに渡って設けられている場合は、その部分の剛性がより向上する。ねじれ防止部１３を長い長さに渡って設けるためには、点溶接を長い長さに渡って数多く設けてもよいし、リベットやクランプを数多く設けてもよいし、溶接や溶着や接着の１つの長さを長く設けても良い。上述した方法は、いずれも容易に行えることができ、かつ、剛性の微妙な調節を簡単に行うことができる。
【００９７】
また、ねじれ防止部１３の設置場所は挟み部材２の撓みと捩れの剛性に影響する。例えば、重なり部１２がアーム部９の途中にあれば、アーム部の撓みの剛性を高くし、アーム部９が撓みにくくなる。一方、重なり部１２が基端部７にあれば、アーム部９の捩れ防止の効果が高くなる。このようにして、ねじれ防止部１３の設置場所を適宜選定することにより、撓みと捩れの微妙なバランスを調整することができる。
【００９８】
挟み部材３は図９の上方から見て挟み部材２と左右対称の形状と構造を有している。重複する詳細な説明は省略するが、挟み部材３は挟み部材２と対称的に、基端部１４と作用部１５とアーム部１６を有している。
【００９９】
図示しないが、略三角形の作用部８と作用部１５の接合は、作用部に負荷がかかると、先に図上で示す略三角形の部分の下側同士が当たり、徐々に上部が当たる様に、略三角形部分が少し下すぼみ（両作用部間で１ｍｍ〜５ｍｍ、好ましくは０．５ｍｍ〜２ｍｍ）にすることで、薄いものも確実に挟むことが出来る様になる。
【０１００】
また、挟み部材３は挟み部材２の略三角形の作用部８と作用部１５の形状は必ずしも対称的でなくとも良い。
【０１０１】
例えば、略三角形の作用部８に対し作用部１５はもっと大きな略三角形であったり、作用部１５が円形であったり、作用部１５が箸状であったりしても良い。挟み部材３のワイヤーは、開始端１７と終端１８と重なり部１９を有している。重なり部１９は、作用部方向に対してほぼ垂直である。重なり部１９にはねじれ防止部１３が設けられている。
【０１０２】
ヒンジ部４は、三次元形状に折り曲げられたワイヤーからなり、弾性を有し、以下では、「弾性ヒンジ部」ともいう。具体的には、弾性ヒンジ部４は、挟み部材２，３の間に架け渡された一対の接続部２０，２１と、接続部２０，２１に続き挟み部材２，３のそれぞれの長手方向に延在する二対の長手方向部２２，２３，２４，２５と、長手方向部２２，２３，２４，２５の末端同士を接続する一対の末端接続部２６，２７とを有している。該ワイヤーは開始端２８と終端２９を有している。末端接続部２７はワイヤーの重なり部３０になっており、２つ以上のねじれ防止部１３が設けられている。
【０１０３】
本実施形態の弾性ヒンジ部４は三次元形状を有しているが、弾性ヒンジ部は挟み部材の間に架け渡された接続部を有していればよく、二次元形状でもよく、柄部５，６が平行に動く構造ならば単に１本の接続部を有していてもよい。すなわち、両端が一対の挟み部材にそれぞれ固定された接続部があれば、該接続部の弾性的な撓みによって弾性ヒンジ部として機能することができる。
【０１０４】
本実施形態の弾性ヒンジ部４は三次元形状に折り曲げられたワイヤーからなるため、重なり部３０にねじれ防止部１３を有していることにより、弾性ヒンジ部４自体としても剛性が高く、捩れを防止することができる。
【０１０５】
ピンセット１は、挟み部材２，３の線材と弾性ヒンジ部４の線材が別個の線材からなり、弾性ヒンジ部４は両挟み部材２，３とそれぞれ連結部材を介して接続されている。連結部材は弾性ヒンジ部４と挟み部材２，３を連結するものであれば良いが、本実施形態では、連結部材は握りやすい形状の柄部５，６になっている。柄部５，６は、弾性ヒンジ部４と挟み部材２，３の間の空間を埋めている。
【０１０６】
柄部５，６は左右対称な構造になっているため、以下柄部５によって説明する。柄部５は横断面コの字形のケース３１とカバー３２を有している。該ケース３１は挟み部材２の基端部７と弾性ヒンジ部４の長手方向部２２，２３を収容し、押え部材３３，３４とねじ３５，３６によってそれらをケース３１に固定するようになっている。これにより、挟み部材２と弾性ヒンジ部４の長手方向部２２，２３が一体に連結される。ケース３１に挟み部材２の基端部７と弾性ヒンジ部４の長手方向部２２，２３を固定した後、カバー３２が取り付けられる。
【０１０７】
なお、ケース３１とカバー３２の固定の仕方は、ラッチや叩いて押し込むような固定でもよい。また、柄部５，６は、インサート成形で、ワイヤーと樹脂を一体化させて製造しても良い。
【０１０８】
柄部６も同様の構造になっている。符号３７，３８は柄部６側のねじを示している。
【０１０９】
図９（ｂ）は組み立てられたピンセット１を示しており、柄部５，６を押したり離したりすることにより、挟み部材２の作用部８と挟み部材３の作用部１５が接近したり離開したりし、対象物を挟んだり離したりすることができる。このとき、挟み部材２，３のアーム部９，１６が弾性的に撓むため、柄部５，６を完全に閉じても対象物に過度な力が加わらず、対象物を傷めることがない。上述したねじれ防止部１３を適宜設けることにより、挟み部材２，３の撓みと捩れ防止の適度なバランスを得られる。
【０１１０】
ピンセット１は、少なくともアーム部９，１６が弾性的なワイヤーからなるため、柄部を過度に閉じたときでも、アーム部の撓みによって作用部に過度な力がかかることがない。これにより強い力で対象物を潰してしまうことを防止することができる。
【０１１１】
対象物に触れる作用部８、１５は、ワイヤーなので、汚れが付く面積が少なく、洗いやすい。先端を鋭角に曲げた形状であっても、断面が丸いワイヤーであるので、丸みを帯びており、対象物を崩しにくい。また、ワイヤーであるため、熱が伝わりにくく、熱い対象物を扱う場合でも、持ち手が熱くなりにくい。また、ワイヤーであるため、全体として軽量である。
【０１１２】
ワイヤーの切断部分は、柄部５，６の中に収まっているため、鋭利になりがちな切断部分に使用者が触れることがない。
【０１１３】
なお、ピンセット１の弾性ヒンジ部４は、２本のワイヤーからなるが、これに限らず、複数のワイヤー（例えば、３本、４本、５本）とすることができる。
【０１１４】
また、作用部８は概略三角の形状を有しているが、挟む対象物によって適当な形状とすることができる。
【０１１５】
ピンセットは、傷つき易い物を掴むために利用されることから、表面にバリなどが無く、滑らかであるのが好ましい。従来のピンセットでは、表面を滑らかに仕上げるために、やすりがけなど、面倒な工程が必要であった。本実施形態のピンセットであれば、断面が丸い線材を用いることで、作用部の表面は滑らかとなるため、やすりがけなどの工程が不要となる。
【０１１６】
図１０は他の実施形態を示している。図１０のピンセット４０は、挟み部材４１，４２の構造を除いてピンセット１と同様の構造になっている。このため、同一の柄部と弾性ヒンジ部に関しては同一の符号を付して説明を省略する。図１０のうち、図１０（ａ）は挟み部材の斜視図、図１０（ｂ）は全体の組立て斜視図を示している。
【０１１７】
図１０（ａ） において挟み部材４１は、アーム部４３と作用部４４が柄部５から突出している。挟み部材４１は大小のループ状の外側ループ４５と内側ループ４６を有している。外側ループ４５と内側ループ４６は線材が概略平行に形成され、作用部４４では線材同士が拡開して互いに離開し、アーム部４３では線材同士が互いに接近している。柄部５において、線材の両端部が集合する部分には線材同士を固着するねじれ防止部１３が複数設けられている。また、アーム部４３の柄部５寄りの線材が接近している部分で、線材同士の捩れ防止を補助するねじれ防止補助部１３ａが複数設けられている。
【０１１８】
挟み部材４２も挟み部材４１と同様の構造になっている。すなわち、挟み部材４２は、アーム部４７と作用部４８とを有し、外側ループ４９と内側ループ５０を有している。柄部６の線材の両端部が集合する部分にはねじれ防止部１３が複数設けられている。また、挟み部材４２の柄部６寄りの外側ループ４９と内側ループ５０の線材が接近している部分で、線材同士を固着するねじれ防止補助部１３ａが複数設けられている。
【０１１９】
挟み部材４１と挟み部材４２はそれぞれ全体として細長い面状の形状を有し、ねじれ防止部１３及びねじれ防止補助部１３ａを有していることにより、作用部４４，４８が面に垂直な方向に撓みやすいが、捩れ難くなっている。さらに、内側と外側のループが独立に撓むことが抑制され、かつ、細長い面状形状の面内の撓みが抑制される。これにより、従来の同様の形状のピンセットに比して極めて使いやすいピンセットが提供される。
【０１２０】
ここでは、外側ループ４５と内側ループ４６は二重構造を示すが、三重構造以上でも良い。
【０１２１】
図１１は、他の実施形態によるピンセット５１の、（ａ）一方の挟み部材５２の斜視図、（ｂ）全体の組立て斜視図を示している。図１１のピンセット５１は、挟み部材５２，５３の構造を除いてピンセット１と同様の構造になっている。このため、同一の柄部と弾性ヒンジ部に関しては同一の符号を付して説明を省略する。
【０１２２】
図１１（ａ）に示すように、挟み部材５２は、アーム部５４と作用部５５を有している。挟み部材５２は大小のループが図１１（ａ）において上下の方向に同一平面内に配置されている。上側ループ５６の下辺に沿って下側ループ５７の上辺が隣接している。上側ループ５６の線材の両端部と下側ループ５７の線材の両端部にはそれぞれねじれ防止部１３が設けられている。また、挟み部材５２の基端寄りの一部には、上側ループ５６と下側ループ５７の線材同士を固着するねじれ防止補助部１３ａが複数設けられている。
【０１２３】
挟み部材５３も挟み部材５２と同様の構造になっている。すなわち、挟み部材５３は、アーム部５８と作用部５９とを有し、上側ループ６０と下側ループ６１を有している。上側ループ６０の線材の両端部と下側ループ６１の線材の両端部にはそれぞれねじれ防止部１３が設けられている。また、挟み部材５３の柄部６寄りの上側ループ６０と下側ループ６１の線材が隣接している部分で、線材同士を固着するねじれ防止補助部１３ａが複数設けられている。
【０１２４】
挟み部材５２と挟み部材５３はそれぞれ全体として細長い面状の形状を有し、ねじれ防止部１３を有していることにより、作用部５５，５９が面に垂直な方向に撓みやすいが、捩れ難くなっている。さらに、上側と下側のループが独立に撓むことを抑制し、かつ、細長い面状形状の面内での撓みを抑制することができる。これにより、従来の同様の形状のピンセットに比して極めて使いやすいピンセットを提供することができる。
【０１２５】
ここでは、上側ループ５６の下辺に沿って下側ループ５７は二重構造を示すが、ループは三重構造以上でも良く、図２に示すように、内側にループするものと組み合わせても良い。
【０１２６】
一例として、一方の把持部材の作用部５５が、上側ループ５６と下側ループ５７の前方部分で構成され、挟み方向及び長手方向と直交する方向に並ぶように配置され、両者の間に隙間が空いている。ピンセット５１は、長い上側ループ５６，６０のみ接触してもよいし、上側ループ５６，６０及び下側ループ５７，６１の両方が接触してもよいように構成される。これによって、ピンセット５１は、長い上側ループ５６，６０同士のみで対象物を挟んでもよいし、長い上側ループ５６，６０及び下側ループ５７，６１の両方を用いて対象物を挟んでもよい。
【０１２７】
なお、上側ループと下側ループは、同じ長さに構成されてもよい。
【０１２８】
図１２は他の実施形態のピンセット６２の分解斜視図であって、（ａ）その柄部５ａの斜視図、（ｂ）その挟み部材２ａ，３ａと弾性ヒンジ部４ａの斜視図である。本実施形態のピンセット６２は図９のピンセット１と概略同様の構造を有しているため、同一の部分については同一の符号を付し、類似の部分については添字を付して重複する説明を省略する。
【０１２９】
図１２（ｂ）に示すように、ピンセット６２は挟み部材２ａと挟み部材３ａと弾性ヒンジ部４ａとを有している。挟み部材２ａと挟み部材３ａと弾性ヒンジ部４ａは別々の部材からなり、柄部５ａと図示しない他の柄部によって連結されている。
【０１３０】
挟み部材２ａは、基端部７ａと作用部８ａとその間のアーム部９ａとを有している。挟み部材２ａのワイヤーは重なり部１２を有し、ねじれ防止部１３が複数設けられている。
【０１３１】
挟み部材２ａは図９の挟み部材２とほぼ同様の形状を有しているが、その基端部７ａ寄りの一部に捩れ防止用の湾曲部６３を有している。防止用の湾曲部６３は、外側に凸な三角形状とすることができるが、この方向と形状に限られない。また、湾曲部６３は、好ましくは挟み部材２ａの線材が含まれる面と同一の面に含まれるが、これに限られない。挟み部材３ａの対称的な位置にも捩れ防止用の湾曲部６４が設けられている。
【０１３２】
これに対して柄部５ａの内側には、挟み部材２ａの線材に設けられた湾曲部６３と嵌合するねじれ防止用の湾曲溝６５が設けられている。柄部５ａに挟み部材２ａと弾性ヒンジ部４ａを取り付けるときに、挟み部材２ａに設けられた湾曲部６３が柄部５ａのねじれ防止用の湾曲溝６５に嵌入し、固定されるようになっている。挟み部材２ａの湾曲部６３が湾曲溝６５に嵌入して固定されることにより、ねじれ防止部１３に加えて、湾曲部６３でも固定され、挟み部材２ａの捩れに対する剛性が向上する。
【０１３３】
挟み部材３ａと弾性ヒンジ部４ａを図示しない柄部に取り付けるときも、挟み部材３ａの湾曲部６４が図示しない柄部に嵌入して固定されるようになっている。挟み部材３ａについても、同様にして捩れに対する剛性が向上する。
【０１３４】
また、本実施形態では、弾性ヒンジ部４ａの接続部２０ａ，２１ａには、それぞれ弾性湾曲部６６，６７が設けられている。弾性湾曲部６６，６７は、接続部２０ａ，２１ａがそこで弾性的に屈伸し、安定的に開閉することができるようになっている。なお、弾性湾曲部６６，６７は任意の形状の湾曲とすることができ、接続部そのもの形状も任意の公知の形状とすることができる。
【０１３５】
図１３は他の実施形態によるピンセット６８とその使用状態を示した説明図で、（ａ）作用部接近方向動作を示す図、（ｂ）作用部離開方向動作を示す図である。本実施形態のピンセット６８は図９のピンセット１と概略同様の構造を有しているため、同一の部分については同一の符号を付し、類似の部分については添字を付して重複する説明を省略する。
【０１３６】
図１３（ｂ）に示すように、ピンセット６８は互いに対向する一対の挟み部材２ｂ，３ｂと柄部５，６を有し、柄部５，６が弾性ヒンジ部４ｂによって接続されている。
【０１３７】
挟み部材２ｂの作用部６９は概略Ｕ字状に湾曲する平行曲線部になっており、挟み部材３ｂも同様の形状の作用部７０を有しているが、作用部６９，７０は任意の形状であってよい。
【０１３８】
弾性ヒンジ部４ｂは使用状態で上方から見て概略Ｕ字状の湾曲した形状になっているが、湾曲の形状は任意の形状であってよい。弾性ヒンジ部４ｂは、複数（例えば２本）の線材とすることができる。また、弾性ヒンジ部４ｂは線材として示されているが、板材を使用状態で上方から見て同様の形状に湾曲させたものでもよい。また、弾性ヒンジ部４ｂは図９のような三次元形状であってもよい。
【０１３９】
本実施形態の特徴的な構造としては、弾性ヒンジ部４ｂの接続部が使用者が握る（押す）側の端部から所定の距離（例えば、２．０〜７．０ｃｍ、好ましくは３．０〜６．０ｃｍ）をあけた内側部分で挟み部材２ｂ，３ｂ間に架け渡されていることにある。具体的に本実施形態では、弾性ヒンジ部４ｂが柄部５，６のほぼ中央で挟み部材２ｂ，３ｂ間に架け渡されている。
【０１４０】
弾性ヒンジ部４ｂが柄部５，６のほぼ中央で挟み部材２ｂ，３ｂ間に架け渡されていることにより、図１３（ａ）に示すように、柄部５，６の前端部に力Ｆ１，Ｆ１をかけることにより、作用部６９，７０は方向Ｍ１，Ｍ１（接近方向）に閉じることができる。逆に、図１３（ｂ）に示すように、柄部５，６の後端部に力Ｆ２，Ｆ２をかけることにより、作用部６９，７０は方向Ｍ２，Ｍ２（離開方向）に開くことができる。すなわち、柄部５，６は、それぞれ、閉じる動作の際に握られる部分と、開く動作の際に握られる部分を併せ持つ。
【０１４１】
通常のピンセットは、操作によって閉じることだけができるが、本実施形態によればピンセットを初期状態から開くことができるため、時には大きなものを掴むのに便利なピンセットを提供することができる。すなわち、普段は狭くて丁度良い（例えば２ｃｍ〜５ｃｍ）が、時には大きく開きたい（例えば、４ｃｍ〜１２ｃｍ）と言ったことが発生する場合に、２種類や３種類のピンセットを用意する必要がなく、１種類でまかなうことが出来る。
【０１４２】
普段挟む対象物より例えば、１ｃｍ〜２ｃｍ大きく開いていれば、掴みやすく、それ以上開いていると、対象物の幅まで狭める労力がいる。摘まむまでのタイムラグが発生し、時間のロスとなる現象が発生する。
【０１４３】
これらを解消するために、ここでは図示しないが、普段対象物の大きさより少し大きめに開く（例えば１ｃｍ〜３ｃｍ広く）位置に調整する機構を設けることで効率的な操作が可能となる。
【０１４４】
そして例えば対象物に、少し大きな対象物が混じっていた時に柄部５，６の後端部に力Ｆ２をかけて握ることで大きな開きを簡単に得ることが出来る。
【０１４５】
なお、ここでは、ピンセット６８を開くときは柄部５，６の後端部を押すと説明したが、押す場所は弾性ヒンジ部４の設置場所に関係し、柄部５，６の後端部に限られない。すなわち、広い意味で、挟み部材２ｂ，３ｂの端を除く部分に弾性ヒンジ部４ｂが設けられている場合、弾性ヒンジ部４ｂより基端（使用状態で使用者側の端）側の部分を押すことによって挟み部材２ｂ，３ｂの先端（使用状態で使用者から遠い側の端）が開き、挟み部材２ｂ，３ｂの弾性ヒンジ部４ｂより先端側の部分を押すことによって挟み部材２ｂ，３ｂの先端が閉じるため、押す場所は弾性ヒンジ部４ｂの位置との関係で定まる。
【０１４６】
図１４は他の実施形態によるピンセット１３０の、（ａ）一方の挟み部材１３１の斜視図、（ｂ）他方の挟み部材１３２の斜視図、（ｃ）全体の組立て斜視図である。本実施形態では、挟み部材１３１のワイヤーの一部が弾性ヒンジ部１３３の一部を兼ねている。同様に挟み部材１３２のワイヤーの一部が弾性ヒンジ部１３３の他の一部を兼ねている。以下に挟み部材１３１及び挟み部材１３２のワイヤーがそれぞれ弾性ヒンジ部１３３の一部を構成していることを説明する。
【０１４７】
挟み部材１３１は基端部１３４、作用部１３５、アーム部１３６を有している。挟み部材１３１のワイヤーは、基端部１３４近傍の一端１３７（開始端１３７）から横断方向の短辺１３８を経て挟み部材１３１を含む面に到達し、続いて基端部１３４とアーム部１３６を経て作用部１３５にまで延び、作用部１３５の先端部で折り返した後、略三角形の作用部１３５を形成し、アーム部１３６の先端部で図１４（ａ）における上辺のワイヤーに接近した後、わずかに拡開しながら戻り、アーム部１３６の基端側部分で図１４（ａ）における下側に凸な第１仮置部１３９を形成した後、基端部１３４に戻り、基端部１３４の末端で図１４（ａ）における上方に曲がり、基端部１３４の上辺に到達する。
【０１４８】
引き続いて挟み部材１３１のワイヤーは、基端部１３４の上辺に沿って弾性ヒンジ部１３３の長手方向部１４０を構成する部分を延び、次に下方に曲がって弾性ヒンジ部１３３の末端接続部１４１を構成する部分を延び、次に基端部１３４の下辺に沿って弾性ヒンジ部１３３の長手方向部１４２を構成する部分を延び、最後に横断方向に曲がって経て挟み部材１３１を含む面に垂直な短辺１４３を経て終端１４４に到達する。
【０１４９】
基端部１３４と長手方向部１４０，１４２のワイヤーの重なり部には複数のねじれ防止部１３が設けられている。
【０１５０】
挟み部材１３２は、挟み部材１３１と対称な形状を有し、基端部１４５、作用部１４６、アーム部１４７を有している。挟み部材１３２のワイヤーは、開始端１４８から横断方向の短辺１４９を経て挟み部材１３２を含む面に到達し、挟み部材１３２の長手方向に曲がり、基端部１４５とアーム部１４７と作用部１４６を経て作用部１４６の先端部に到達する。続いて作用部１４６の先端部で折り返し、作用部１４６の概略三角形を形成した後に、戻りながら第１仮置部１５０を形成し、基端部１４５に戻り、基端部１４５の末端で図１４（ａ）における上方に曲がり、基端部１４５の上辺に到達する。
【０１５１】
引き続いて挟み部材１３２のワイヤーは、基端部１４５の上辺に沿って弾性ヒンジ部１３３の長手方向部１５１を構成する部分を延び、次に下方に曲がって弾性ヒンジ部１３３の末端接続部１５２を構成する部分を延び、次に基端部１４５の下辺に沿って弾性ヒンジ部１３３の長手方向部１５３を構成する部分を延び、最後に横断方向に曲がって経て挟み部材１３２を含む面に垂直な短辺１５４を経て終端１５５に到達する。
【０１５２】
基端部１４５と長手方向部１５１，１５３のワイヤーの重なり部には複数のねじれ防止部１３が設けられている。
【０１５３】
挟み部材１３１と挟み部材１３２を組み立てるときは、短辺１３８と短辺１４９、及び、短辺１４３と短辺１５４を互いに重ね合わせ、固着させる。これにより、短辺１３８と短辺１４９、及び、短辺１４３と短辺１５４は、それぞれ弾性ヒンジ部１３３の接続部を形成し、挟み部材１３１と挟み部材１３２の間の接続部となる。
【０１５４】
このピンセット１３０によれば、挟み部材１３１，１３２の基端部１３４，１４５を握ったり離したりすることにより、弾性ヒンジ部１３３が弾力的に変形し、挟み部材１３１，１３２の作用部１３５，１４６が閉じたり開いたりする。
【０１５５】
また、ピンセット１３０をピンセット置き面に置くときは、第１仮置部１３９，１５０が支点になって、作用部１３５，１４６がピンセット置き面から離れ、衛生的である。
【０１５６】
また、図１５に示すように、第１仮置部１３９，１５０はその前後の部分が指かけ部としても機能し、図示するように指をかけることにより、ピンセット１３０の操作が容易になる。
【０１５７】
また、ねじれ防止部１３が複数設けられていることにより、挟み部材１３１，１３２の基端部１３４，１４５の剛性が向上し、捩れを防止することができる。
【０１５８】
図１６は、本発明の一実施形態によるピンセット１９０の、（ａ）平面図、（ｂ）側面図である。
【０１５９】
このピンセット１９０は、互いに対向して弾発的に接近と離開をすることができるように構成された一対の挟み部材１９１，１９２を有している。挟み部材１９１，１９２はそれぞれ、弾性線材を折り曲げてそれぞれ１つの閉曲線をなす部分１９３，１９４を有している。挟み部材１９１，１９２は、それぞれ基端部１９５，１９６と、アーム部１９７，１９８と、作用部１９９，２００を有している。挟み部材１９１，１９２の基端部１９５，１９６は、好ましくは樹脂製の柄部２０１，２０２の先端側の一部に埋設されている。柄部２０１，２０２の後端部は、２本以上の弾性線材２０３，２０４からなる弾性ヒンジ部２０５によって接続されている。弾性ヒンジ部２０５の弾性変形により、挟み部材１９１，１９２は互いに弾発的に接近と離開を繰り返すことができるようになっている。
【０１６０】
弾性線材２０３，２０４は、平面視でコの字状の形状を有し、上下に配列されている。弾性線材２０３，２０４の形状は任意であり、弾性線材の本数も任意であるが、好ましくは２本以上である。
【０１６１】
また、作用部１９９，２００のワイヤーの２本の端部の柄部２０１，２０２への進入方向は、弾性ヒンジ部２０５のワイヤー２本の端部の柄部２０１，２０２からの延出方向と一致している。したがって、作用部１９９，２００とヒンジ部２０５のワイヤーがあたかも繋がっているような、すっきりとした印象を与える。
【０１６２】
柄部２０１，２０２は、側面視で概略矩形の形状を有しているが、使用状態で先端部下側に指掛け部２２８がわずかに突出しており、そこに指をかけることができるようになっているため、手に馴染みやすくかつ操作が容易な形状を有している。かかる指掛け部２２８は、ピンセット１９０を横に置いたときに、作用部１９９，２００を載置面に接触させないための仮置部としても利用される。
【０１６３】
ただし、柄部２０１，２０２は、指掛け部２２８の付近だけ、短く、プラスチック等で設けても良い。例えば、長手方向（弾性ヒンジ部から作用部に向かう方向）に、３〜６ｃｍ、好ましくは、３．５〜５．６ｃｍの範囲で設けてよい。全体をワイヤーのみで 形成するよりも、このような柄部２０１，２０２を設けることで、視認性が向上し、しっかりとした作りである印象を与えることができる。また、柄部全体をプラスチック等で形成した場合に比べ柄部が軽量化し取り扱いが容易となる。また、落としたりした場合にも、床面に傷を付けたりすることを軽減することが出来る。また、ここでは仮置部をプラスチック等での形成した例を示すが仮置部をワイヤーで形成し、後部に指掛け部を設けても良い。 
また、柄部２０１，２０２の先端部には、凹み２０６，２０７が設けられている。凹み２０６，２０７は、親指や人差し指の腹にフィットするような形状であってもよい。この場合、該凹み２０６，２０７は、親指や人差し指の指かけ部として機能し、さらにピンセットの取扱いを容易にすることができる。凹み２０６，２０７の底は、ワイヤー配置部分より内側である。作用部１９９，２００の部材がワイヤーであり、柄部２０１，２０２の内部に進入している部分は、凹み２０６，２０７を避けた部分に配されている。したがって、凹み２０６，２０７を、ワイヤー配置部分よりも深くすることができ、指の腹をフィットさせるのに、十分な深さを確保することができる。
【０１６４】
挟み部材１９１，１９２を構成する弾性線材は、基端部１９５，１９６で概略矩形に折り曲げられ、アーム部１９７，１９８では概略平行であるが、基端側から先端側にかけて徐々に狭くなっており、作用部１９９，２００では、円弧形状のループになっている。上記弾性線材は基端部１９５，１９６で両端部が重なり合って重なり部を形成し、その重なり部で互いに固着され、少なくとも１つのねじれ防止部１３を有している。
【０１６５】
本実施形態のピンセット１９０によれば、作用部１９９，２００が円弧形状のループになっているため、小さい球形状のものを掴みやすく、かつ、掴んだものを傷めることがない。
【０１６６】
しかし、この実施形態は作用部の形状を限定するものではなく、作用部１９９，２００は掴む対象物によって種々な変形があり得る。
【０１６７】
図１７は、本発明の一実施形態のピンセット２１０の、（ａ）平面図、（ｂ）側面図、（ｃ）使用状態を示した平面図、（ｄ）使用状態を示した平面図である。本実施形態は、特徴的に挟み部材と柄部等が左右非対称になっている。
【０１６８】
図１７（ａ）に示すように、ピンセット２１０は図１７（ａ）の平面視で、使用時に使用者から見て左側（図１７（ａ）の下側）に挟み部材２１１（以降必要に応じて「左側の挟み部材２１１」という）を有し、同右側（図１７（ａ）の上側）に挟み部材２１２（以降必要に応じて「右側の挟み部材２１２」という）を有している。
【０１６９】
右側の挟み部材２１２は、全体が垂直面内に含まれる形状を有し、図１７（ｂ）に示すように、側面視で弾性線材が基端部２１３から出発し、先端に向かって幅が細くなる細長状のアーム部２１４の上側を通り、作用部２１５で円弧ループ状をなし、アーム部２１４の下側を通り、再び基端部２１３に戻り、弾性線材同士の重なり部２１９を形成している。重なり部２１９では線材同士が固着され、少なくとも１つのねじれ防止部１３が設けられている。
【０１７０】
これに対して左側の挟み部材２１１は全体が水平面内に含まれる形状を有し、図１７（ａ）に示すように、平面視で弾性線材が基端部２１６から出発し、先端に向かって凹凸形状を形成しながらアーム部２１７の内側（挟み部材２１２に対向する側）を通り、作用部２１８で概略３角形をなして折り返し、直線的なアーム部２１７の外側を通り、再び基端部２１６に戻り、弾性線材同士の重なり部２１９を形成している。重なり部２１９では線材同士が固着され、少なくとも１つのねじれ防止部１３が設けられている。
【０１７１】
右側の挟み部材２１２の基端部２１３は、柄部２２０に少なくとも一部埋め込まれている。左側の挟み部材２１１の基端部２１６は、柄部２２１に少なくとも一部埋め込まれている。柄部２２０，２２１は線材２２２，２２３からなる弾性ヒンジ部２２４によって接続されている。柄部２２０，２２１は図１７（ａ）に示すように、平面視で互いに相補的な非対称の形状を有している。
【０１７２】
柄部２２０と柄部２２１には凹み２２５，２２６が設けられており、指をかけるのに便利になっている。
【０１７３】
左側の挟み部材２１１と右側の挟み部材２１２は、図１７（ｂ），（ｄ）に示すように、両挟み部材２１１，２１２を閉じたときに、左側の挟み部材２１１の作用部２１８が右側の挟み部材２１２の作用部２１５のループの内側に進入し、咬合状態になるように、高さと長さと作用部２１５，２１８の形状が適切に構成されている。左側の挟み部材２１１の作用部２１８は、両挟み部材２１１，２１２を閉じたときに、右側の挟み部材２１２のループ内に進入するとともに、その先端が右側の挟み部材２１２の作用部２１５に一部当接し、ぶれないようになっている。左側の挟み部材２１１のアーム部２１７の内側は図１７（ｄ）に示すように、一部が右側の挟み部材２１２に入り込むようになっており、挟み部材２１２をガイドする役割を果たす。
【０１７４】
図１７（ｃ），（ｄ）はこのピンセット２１０の使用状態を示している。図１７（ｃ），（ｄ）に示すように、本実施形態のピンセット２１０は、挟み部材２１１と挟み部材２１２は、両挟み部材２１１，２１２の作用部２１５，２１８が互いに入り込むため、その過程でその間に物を挟めることができ、例えば図示するような細長形状の対象物２２７を簡単に掴むことができる。また、作用部２１５，２１８が互いに入り込んで咬合状態になるため、挟み部材２１１，２１２の先端部がぐらつかず、しっかり対象物２２７等を掴むことができる。
【０１７５】
本発明に一方面に係るピンセットは、互いに対向して弾発的に接近と離開をすることができるように構成された一対の挟み部材を有するピンセットであって、前記挟み部材は、弾性の線材が折り曲げられて閉曲線をなす部分を少なくとも１つ含み、前記線材は前記閉曲線の一部において前記線材同士が固着されたねじれ防止部を有している。
【０１７６】
前記線材の閉曲線は重なり部を有し、前記重なり部において前記ねじれ防止部を有していてもよい。前記ねじれ防止部は、前記線材同士の複数の固着点または線状の固着部からなってもよい。前記挟み部材は、挟む対象物に作用する部分である作用部を有し、互いに接近した時に、一方の前記挟み部材の作用部が、他方の前記挟み部材の作用部の内側に進入し、咬合状態になるように構成されていてもよい。前記挟み部材は、弾性ヒンジ部で接続され、挟む対象物に作用する部分である作用部を有し、前記弾性ヒンジ部は、前記挟み部材の前記弾性ヒンジ部より前記作用部の反対側の部分を押すことによって前記挟み部材の先端が開き、前記挟み部材の前記弾性ヒンジ部より前記作用部側の部分を押すことによって前記挟み部材の先端が閉じる位置に設けられていてもよい。
【０１７７】
前記挟み部材は弾性ヒンジ部で接続され、前記弾性ヒンジ部は二本以上の前記線材によって構成されていてもよい。前記挟み部材は前記線材の閉曲線を複数含み、前記閉曲線の線材同士が前記捩れ防止部を有していてもよい。前記弾性ヒンジ部は、弾性の線材からなり、前記挟み部材間に架け渡された接続部を有し、前記挟み部材の線材と前記弾性ヒンジ部の線材あるいは前記弾性ヒンジ部の線材同士が前記ねじれ防止部を有してもよい。前記弾性ヒンジ部は、一対の前記接続部と、前記接続部に続き前記挟み部材の長手方向に延在する二対の長手方向部と、前記長手方向部の末端同士を接続する一対の末端接続部とを有する三次元形状、または、一対の前記接続部と前記接続部の末端同士を接続する一対の末端接続部とを有する二次元形状を有していてもよい。
【０１７８】
前記挟み部材の線材と前記弾性ヒンジ部の線材は同一の線材からなってもよい。前記挟み部材の線材と前記弾性ヒンジ部の線材は別個の線材からなり、前記弾性ヒンジ部は前記両挟み部材とそれぞれ連結部材を介して接続されていてもよい。前記連結部材は互いに対向する一対の柄部を構成してもよい。
【０１７９】
前記挟み部材は、弾性ヒンジ部と柄部を介して接続され、前記柄部は、長手方向の長さが、３〜６ｃｍであってもよい。前記挟み部材はその線材の一部にねじれ防止用の湾曲部を有し、前記柄部は前記線材に設けられた湾曲部と嵌合するねじれ防止用の湾曲溝を有していてもよい。
【０１８０】
前記作用部は、掴む対象物に応じて形状を適合させた拡開曲線部または平行曲線部またはモチーフ曲線部を有していてもよい。前記アーム部は、ピンセット置き面から前記作用部を浮かせて前記ピンセットを置くことができるように外側に凸に折り曲げられた仮置部を有していてもよい。前記アーム部の仮置部と協働して前記ピンセットの本体を前記ピンセット置き面から浮かせた状態で置くことができる第２仮置部を有していてもよい。
【０１８１】
前記アーム部または前記基端部は、使用者の指をかける形状に折り曲げられた少なくとも１つの指かけ部を有していてもよい。前記接続部は使用者が握る側の端部から所定の距離をあけた内側部分で前記挟み部材間に架け渡されていてもよい。
【０１８２】
本発明の一方面に係るピンセットは、互いに対向して弾発的に接近と離開をすることができるように構成された一対の挟み部材を有するピンセットであって、前記挟み部材は、弾性の線材が折り曲げられて閉曲線をなす部分を少なくとも１つ含み、挟む対象物に作用する部分である作用部を有し、互いに接近した時に、一方の前記挟み部材の作用部が、他方の前記挟み部材の作用部の内側に進入し、咬合状態になるように構成されている。
【０１８３】
本発明の一方面に係るピンセットは、互いに対向して弾発的に接近と離開をすることができるように構成された一対の挟み部材を有するピンセットであって、前記挟み部材は、弾性ヒンジ部で接続され、挟む対象物に作用する部分である作用部を有し、前記弾性ヒンジ部は、前記挟み部材の前記弾性ヒンジ部より前記作用部の反対側の部分を押すことによって前記挟み部材の先端が開き、前記挟み部材の前記弾性ヒンジ部より前記作用部側の部分を押すことによって前記挟み部材の先端が閉じる位置に設けられている。
【０１８４】
本発明の一方面に係るピンセットは、互いに対向して弾発的に接近と離開をすることができるように構成された一対の挟み部材を有するピンセットであって、前記挟み部材は弾性ヒンジ部で接続され、前記弾性ヒンジ部は二本以上の前記線材によって構成されている。
【０１８５】
上記の記載に基づいて、当業者であれば、本発明の追加の効果や種々の変形を想到できるかもしれないが、本発明の態様は、上述した実施形態の例に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１８６】
１ｃ、１、４０、５１、６２、６８、１３０、１９０、２１０：ピンセット
２ｃ、２、３、３ｃ、４１、４２、５２、５３、１３１、１３２、１９１、１９２、２１１、２１２、２ａ、２a、３ａ：挟み部材
４ｃ、４、１３３、２０５、２２４、４ａ：弾性ヒンジ部
５ｃ、５、６、２０１、２０２、２２０、２２１、５ａ：柄部
７、１４、１３４、１４５、１９５、１９６、２１３、７a、１４ａ：基端部
８ｃ、８、１５、１５ｃ、４４、４８、５５、５９、６９、７０、１３５、１４６、１９９、２００、２１５、２１８、８a、１５ａ：作用部
９ｃ、１６ｃ：延伸部
９、１６、４３、４７、５４、５８、１３６、１４７、１９７、１９８、２１４、２１７、９a：アーム部
１０、１７、２８、１３７、１４８：開始端
１１、１８、２９、１４４、１５５：終端
１２、１９、３０、２１９：重なり部
１３、１３ａ：ねじれ防止部
２０、２１、２０ａ、２１ａ：接続部
２２、２３、２４、２５、１４０、１４２、１５１、１５３：長手方向部
２６、２７、１４１、１５２：末端接続部
３１：ケース
３２：カバー
３３、３４：押え部材
３５、３６、３７、３８：ねじ
４５、４９：外側ループ
４６、５０：内側ループ
５６、６０：上側ループ
５７、６１：下側ループ
６３：防止用の湾曲部
６４：捩れ防止用の湾曲部
６５：ねじれ防止用の湾曲溝
６６、６７：弾性湾曲部
８１ｃ、８２ｃ、８３ｃ、８４ｃ、１５１ｃ、１５２ｃ、１５３ｃ、１５４ｃ：ループ部分
１１４、１１８：第１，２指指かけ部
１３９：第１仮置部
１３８、１４３、１４９、１５４：短辺
１５０：第１仮置き部
１８０、１８１：中央部材
１９３、１９４：閉曲線をなす部分
２０３、２０４：弾性線材
２０６、２０７、２２５、２２６：凹み
２１５：重なり部を
２２２、２２３：線材
２２７：対象物
２２８：指掛け部
Ｆ１，Ｆ２：力
Ｍ１，Ｍ２：方向
【要約】      （修正有）【課題】柔らかい対象物や、分離して形状が一定しない対象物を損なわずに挟みあげることができるピンセットを提供する。【解決手段】対象物を挟む一対の挟み部２ｃ、３ｃと、一対の前記挟み部と接続するハンドル１０ｃとを備えるピンセット１ｃであって、少なくとも、一方の前記挟み部である第１挟み部は、ループ部分を有する線材で構成され、前記ハンドルを押すと、一対の前記挟み部の対象物を挟む部分である作用部８ｃ、１５ｃが接触し、撓むことを特徴とする。【選択図】図１【図１】
0006841529.tif 000002
【図２】
0006841529.tif 000003
【図３】
0006841529.tif 000004
【図４】
0006841529.tif 000005
【図５】
0006841529.tif 000006
【図６】
0006841529.tif 000007
【図７】
0006841529.tif 000008
【図８】
0006841529.tif 000009
【図９】
0006841529.tif 000010
【図１０】
0006841529.tif 000011
【図１１】
0006841529.tif 000012
【図１２】
0006841529.tif 000013
【図１３】
0006841529.tif 000014
【図１４】
0006841529.tif 000015
【図１５】
0006841529.tif 000016
【図１６】
0006841529.tif 000017
【図１７】
0006841529.tif 000018